(57)【要約】【課題】効率よくフィンガ選択を行うことができる受信装置、送信装置及び受信方法を提供すること。【解決手段】受信装置１００において、通信チャネルの遅延プロファイル及び共通制御チャネルの遅延プロファイルの相関に応じて適応的にそれらを用いる。すなわち、通信チャネルの遅延プロファイルが共通制御チャネルの遅延プロファイルの一部とはなり得る場合には、通信チャネル及び共通制御チャネルの遅延プロファイルの両方又は共通制御チャネルの遅延プロファイルを用い、通信チャネルの遅延プロファイルが共通制御チャネルの遅延プロファイルの一部とはなり得ない場合には、通信チャネルの遅延プロファイルのみを用いてフィンガ選択を行う。【選択図】      図１
2004248197.tif 000002
【特許請求の範囲】
【請求項１】
通信チャネルの遅延プロファイルを作成する通信チャネル用遅延プロファイル作成手段と、
共通制御チャネルの遅延プロファイルを作成する共通制御チャネル用遅延プロファイル作成手段と、
通信チャネルの遅延プロファイルと共通制御チャネルの遅延プロファイルとの間に相関があるか否かを判断する相関判定手段と、
前記相関判定手段の判定結果に基づいて、前記通信チャネルの遅延プロファイル及び／又は前記共通制御チャネルの遅延プロファイルを適応的に選択する遅延プロファイル選択手段と、
前記遅延プロファイル選択手段により選択された遅延プロファイルを用いてフィンガ選択するフィンガ選択手段と、
を具備する受信装置。
【請求項２】
通信チャネルの遅延プロファイルを作成する通信チャネル用遅延プロファイル作成手段と、
共通制御チャネルの遅延プロファイルを作成する共通制御チャネル用遅延プロファイル作成手段と、
通信チャネルの遅延プロファイルと共通制御チャネルの遅延プロファイルとの間に相関があるか否かを判断する相関判定手段と、
前記相関判定手段の判定結果と、その判定結果が得られた位置を示す位置情報とを送信する送信手段と、
を具備する受信装置。
【請求項３】
受信装置において作成される通信チャネルの遅延プロファイル及び共通制御チャネルの遅延プロファイルの間に相関があるか否かを予測する予測相関情報を送信する送信装置。
【請求項４】
受信装置において作成される通信チャネルの遅延プロファイル及び共通制御チャネルの遅延プロファイルの間に相関があるか否かを示す相関情報を前記受信装置から受け取り、この相関情報が得られた前記受信装置の位置を示す位置情報を前記相関情報とともに送信する送信装置。
【請求項５】
通信チャネルの遅延プロファイルを作成する通信チャネル用遅延プロファイル作成ステップと、
共通制御チャネルの遅延プロファイルを作成する共通制御チャネル用遅延プロファイル作成ステップと、
通信チャネルの遅延プロファイルと共通制御チャネルの遅延プロファイルとの間に相関があるか否かを判断する相関判定ステップと、
前記相関判定ステップにおける判定結果に基づいて、前記通信チャネルの遅延プロファイル及び／又は前記共通制御チャネルの遅延プロファイルを適応的に選択する遅延プロファイル選択ステップと、
前記遅延プロファイル選択ステップにおいて選択された遅延プロファイルを用いてフィンガ選択するフィンガ選択ステップと、
を具備する受信方法。
【発明の詳細な説明】
【０００１】
【発明の属する技術分野】
本発明は、ディジタル無線通信システムにおける通信端末装置及び無線受信方法に関し、例えば、スマートアンテナやアダプティブアレイアンテナを用いて下り送信指向性制御が適用される直接拡散符号拡散多重アクセス（Ｄｉｒｅｃｔ  Ｓｅｑｕｅｎｃｅ−Ｃｏｄｅ  Ｄｉｖｉｓｉｏｎ  Ｍｕｌｔｉｐｌｅ  Ａｃｃｅｓｓ）システムにおける受信装置、送信装置及び受信方法に関する。
【０００２】
【従来の技術】
従来、無線通信システムにおいては、通信チャネルと共通制御チャネルが同一の送信方法（共に無指向性）で送信される場合、個別物理チャネル（通信チャネル）については、周波数利用効率の向上のために送信電力制御により所要品質ぎりぎりの受信レベル（Ｅｂ／Ｎ０又はＳＩＲ）となるように制御されている。
【０００３】
これに対して、共通制御チャネルについては、サービスエリア内のすべての通信端末がハンドオーバによる周辺セル情報を受信できるように、すなわちサービスエリア内のすべての通信端末が一定以上の受信品質を確保できるように、サービスエリア内及びそのサービスエリア周辺に対して、一般的には通信チャネルよりも強いパワで送信が行われる。
【０００４】
したがって、上記のような場合には、通信端末において、通信チャネルのパスを選択する（逆拡散処理のタイミングを検出する）サーチャは、信頼性高くサーチを行うために、通信チャネル自体ではなく、通信チャネルよりも強いパワで送信される共通制御チャネルを基準に動作する。
【０００５】
ところで、基地局において、共通制御チャネル（ＣＣＰＣＨ：Ｃｏｍｍｏｎ  Ｃｏｎｔｒｏｌ  Ｐｈｙｓｉｃａｌ  ＣＨａｎｎｅｌ）は、通常無指向性（オムニ又はセクタ）で送信するのに対して、通信チャネル（ＤＰＣＨ：Ｄｅｄｉｃａｔｅｄ  Ｐｈｙｓｉｃａｌ  ＣＨａｎｎｅｌ）は、指向性制御されて送信される場合がある。この場合、共通制御チャネルは、図８（ａ）に示すように、無指向性で通信端末８０１に送信を行う。したがって、通信端末８０１では、基地局８０２から直接通信端末８０１に届くパス１、基地局８０２から障害物８０３、８０４に反射して通信端末８０１に届くパス２，パス３のすべてが受信される。このため、遅延プロファイルは、図８（ｂ）に示すようになる。
【０００６】
これに対して、通信チャネルに対して送信指向性制御が適用された場合には、図９（ａ）に示すように、Ｘで示す指向性で送信を行う。このとき、通信端末８０１では、伝搬路が限定されているため、基地局８０２から直接通信端末８０１に届くパス１と、基地局８０２から障害物８０４に反射して通信端末８０１に届くパス３とが受信され、基地局８０２から障害物８０３に反射して通信端末８０１に届くパス２は受信されない。このため、遅延プロファイルは、図９（ｂ）に示すようになる。
【０００７】
このように、通信チャネルが指向性制御されて伝搬路が限定されているので、通信チャネルと共通制御チャネルとは異なったものとなる。この場合、図８（ｂ）及び図９（ｂ）から分かるように、通信チャネルには含まれないパス２も共通制御チャネルには存在することになる。このため、上述したように共通制御チャネルを基準にサーチャを動作させると、誤ったパス選択をしてしまうため、通信チャネルを基準としたサーチャ動作をさせる必要がある。
【０００８】
一方、通信チャネルを基準としてサーチャを動作させると、送信電力制御により所要品質ぎりぎりの受信レベルに制御されているために、パス選択の信頼性が低くなってしまう。
【０００９】
かかる課題を解決するための一つの方法として、通信チャネルの遅延プロファイルと共通制御チャネルの遅延プロファイルとの相関を求めることにより、サーチ性能を向上させる方法が考えられている（特許文献１参照）。
【００１０】
この特許文献１に示されている方法は、通信チャネルの遅延プロファイルと共通制御チャネルの遅延プロファイルとの相関演算の結果に基づいて、パス選択を行い受信タイミングの決定を行うものである。
【００１１】
【特許文献１】
特開２００１−２４５５１号公報
【００１２】
【発明が解決しようとする課題】
しかしながら、このように通信チャネルの遅延プロファイルと共通制御チャネルの遅延プロファイルとの相関を求める方法では、通信チャネルの送信アンテナと共通制御チャネルの送信アンテナとが互いに近い位置にある場合には、図１０（ｂ）に示すように、通信チャネルが共通制御チャネルの一部となり得るのに対して、図１０（ａ）に示すように、共通制御チャネルの送信アンテナと通信チャネルの送信アンテナとが遠く離れている場合には、図１０（ｃ）に示すように、共通制御チャネルの遅延プロファイルの一部が通信チャネルの遅延プロファイルとはなり得なくなる問題があった。また、通信端末の位置によっても共通制御チャネルの遅延プロファイルの一部が通信チャネルの遅延プロファイルとはなり得なくなる場合があった。
【００１３】
従って、このように、共通制御チャネルを送信する送信アンテナと通信チャネルを送信する送信アンテナとが異なり、図１０（ｃ）に示すように、通信チャネルの遅延プロファイルが共通制御チャネルの遅延プロファイルの一部とはなり得ない場合には、共通制御チャネルの遅延プロファイルを用いて相関演算を行うと、パス選択を正しく行うことが困難になるという問題があった。
【００１４】
本発明はかかる点に鑑みてなされたものであり、効率よくフィンガ選択を行うことができる受信装置、送信装置及び受信方法を提供することを目的とする。
【００１５】
【課題を解決するための手段】
本発明の受信装置は、通信チャネルの遅延プロファイルを作成する通信チャネル用遅延プロファイル作成手段と、共通制御チャネルの遅延プロファイルを作成する共通制御チャネル用遅延プロファイル作成手段と、通信チャネルの遅延プロファイルと共通制御チャネルの遅延プロファイルとの間に相関があるか否かを判断する相関判定手段と、前記相関判定手段の判定結果に基づいて、前記通信チャネルの遅延プロファイル及び／又は前記共通制御チャネルの遅延プロファイルを適応的に選択する遅延プロファイル選択手段と、前記遅延プロファイル選択手段により選択された遅延プロファイルを用いてフィンガ選択するフィンガ選択手段と、を具備する構成を採る。
【００１６】
この構成によれば、通信チャネルの遅延プロファイル及び共通制御チャネルの遅延プロファイルに相関がある場合とない場合とで適応的にそれらを使用することで、適切なフィンガ選択を行うことができる。
【００１７】
本発明の受信装置は、通信チャネルの遅延プロファイルを作成する通信チャネル用遅延プロファイル作成手段と、共通制御チャネルの遅延プロファイルを作成する共通制御チャネル用遅延プロファイル作成手段と、通信チャネルの遅延プロファイルと共通制御チャネルの遅延プロファイルとの間に相関があるか否かを判断する相関判定手段と、前記相関判定手段の判定結果と、その判定結果が得られた位置を示す位置情報とを送信する送信手段と、を具備する構成を採る。
【００１８】
この構成によれば、相関判定結果と位置情報とを送信することにより、それらの情報を受け取った通信装置（例えば基地局装置）に対して、位置とその位置での相関状態を知らせることができる。
【００１９】
本発明の送信装置は、受信装置において作成される通信チャネルの遅延プロファイル及び共通制御チャネルの遅延プロファイルの間に相関があるか否かを予測する予測相関情報を送信する構成を採る。
【００２０】
この構成によれば、受信装置に対して、その受信装置において作成される通信チャネルの遅延プロファイル及び共通制御チャネルの遅延プロファイルの相関情報を送信することにより、受信装置では、この相関情報に基づいて、通信チャネルの遅延プロファイル及び共通制御チャネルの遅延プロファイルを適応的に使用したフィンガ選択を行うことができ、このフィンガ選択を適切かつ容易に行うことが可能となる。
【００２１】
本発明の送信装置は、受信装置において作成される通信チャネルの遅延プロファイル及び共通制御チャネルの遅延プロファイルの間に相関があるか否かを示す相関情報を前記受信装置から受け取り、この相関情報が得られた前記受信装置の位置を示す位置情報を前記相関情報とともに送信する構成を採る。
【００２２】
この構成によれば、受信装置において実際に作成された、通信チャネルの遅延プロファイル及び共通制御チャネルの遅延プロファイルの相関を示す相関情報とその情報が得られた受信装置の位置を示す位置情報とを送信することにより、これらの情報を受け取った他の受信装置は、自機の位置に合致する位置情報に対応した相関情報を用いることができる。これにより、実際に受信装置によって作成された遅延プロファイルを用いて得られた相関情報に基づいて、通信チャネルの遅延プロファイル及び共通制御チャネルの遅延プロファイルを適応的に使用したフィンガ選択を行うことができる。かくして、受信装置は、一段と適切なフィンガ選択を行うことができる。
【００２３】
本発明の受信方法は、通信チャネルの遅延プロファイルを作成する通信チャネル用遅延プロファイル作成ステップと、共通制御チャネルの遅延プロファイルを作成する共通制御チャネル用遅延プロファイル作成ステップと、通信チャネルの遅延プロファイルと共通制御チャネルの遅延プロファイルとの間に相関があるか否かを判断する相関判定ステップと、前記相関判定ステップにおける判定結果に基づいて、前記通信チャネルの遅延プロファイル及び／又は前記共通制御チャネルの遅延プロファイルを適応的に選択する遅延プロファイル選択ステップと、前記遅延プロファイル選択ステップにおいて選択された遅延プロファイルを用いてフィンガ選択するフィンガ選択ステップと、を具備するようにした。
【００２４】
この方法によれば、通信チャネルの遅延プロファイル及び共通制御チャネルの遅延プロファイルに相関がある場合とない場合とで適応的にそれらを使用することで、適切なフィンガ選択を行うことができる。
【００２５】
【発明の実施の形態】
本発明の骨子は、通信チャネルの遅延プロファイル及び共通制御チャネルの遅延プロファイルの相関に応じて適応的にそれらを用いることにより、適切なフィンガ選択を行うことである。
【００２６】
以下、本発明の実施の形態について、図面を参照して詳細に説明する。
【００２７】
（実施の形態１）
図１は、本発明の実施の形態１に係る通信端末装置１００の構成を示すブロック図である。ここでは、基地局から通信端末装置１００への下り回線では個別物理チャネル（ＤＰＣＨ：通信チャネル）が送信指向性制御されているものとする。なお、図１に示す通信端末装置１００においては、受信側のみを示している。
【００２８】
基地局から指向性制御されて送信された信号は、アンテナ１０１を介して無線受信回路１０２で受信される。無線受信回路１０２は、受信信号に対して、増幅（利得制御）、ダウンコンバート、及びアナログ／ディジタル（Ａ／Ｄ）変換の各処理を行う。このＡ／Ｄ変換後の受信データは、復調回路１１５の相関回路１０３及び位相推定回路１１３にそれぞれ供給される。相関回路１０３は、受信データと通信チャネル用のコードを用いて受信データの逆拡散処理を行う。位相推定回路１１３は、受信データと共通制御チャネル用のコードを用いて、位相推定用の逆拡散処理を行う。
【００２９】
相関回路１０３及び位相推定回路１１３の各出力は乗算器１０４に供給される。乗算器１０４は、相関回路１０３及び位相推定回路１１３の各出力を乗算することにより、同期検波を行う。この同期検波出力は、レイク合成回路１０５に供給される。レイク合成回路１０５は、複数のサンプルについて、レイク合成を行う。レイク合成回路１０５の出力は、判定回路１０６に供給される。判定回路１０６は、レイク合成された結果からビット判定を行いデータを復調する。
【００３０】
これに対して、通信端末装置１００のサーチャ１２０は、個別チャネル用遅延プロファイルを作成するための個別チャネル用遅延プロファイル作成部１１７（相関回路１０７及び遅延プロファイル作成回路１０８）と、共通制御チャネル用遅延プロファイルを作成するための共通制御チャネル用遅延プロファイル作成部１１９（相関回路１０９及び遅延プロファイル作成回路１１０）と、フィンガ選択回路１１１と、パス位置判定回路１１２とを有している。
【００３１】
相関回路１０７は、通信チャネル用遅延プロファイルを作成するために、受信データと通信チャネル用のコードとを用いて逆拡散処理を行い、その結果を遅延プロファイル作成回路１０８に供給する。遅延プロファイル作成回路１０８は、相関回路１０７の出力の相関値を、各位相ごとに平均し、遅延プロファイルを作成する。
【００３２】
また、相関回路１０９は、共通制御チャネル用遅延プロファイルを求めるために、受信データと共通制御チャネル用のコードとを用いて逆拡散処理を行い、その結果を遅延プロファイル作成回路１１０に供給する。遅延プロファイル作成回路１１０は、相関回路１０９の出力の相関値を各位相ごとに平均し、遅延プロファイルを作成する。
【００３３】
パス位置判定回路１１２は、通信チャネル用遅延プロファイルと共通制御チャネル用遅延プロファイルとを比較し、共通制御チャネル用遅延プロファイルがフィンガ割り当てに使用できるか否か、すなわち、通信チャネル用遅延プロファイルが共通制御チャネル用遅延プロファイルの一部と見なすことができるか否かを判断する。フィンガ選択回路１１１は、遅延プロファイル作成回路１０８、１１０及びパス位置判定回路１１２の出力である、通信チャネル用遅延プロファイルが共通制御チャネル用遅延プロファイルの一部と見なせるか否かの結果を用いてフィンガを選択する。
【００３４】
また、パス位置判定回路１１２は、通信チャネル用遅延プロファイルが共通制御チャネル用遅延プロファイルの一部と見なせない場合には、共通制御チャネル用遅延プロファイルの作成を停止する。
【００３５】
すなわち、図２は、パス位置判定回路１１２の動作を説明するための図であり、図２（ａ）に示すように、入力パターンＡのように共通制御チャネルの遅延プロファイルの一部のパス位相が通信チャネルの遅延プロファイルのパス位相と同じ場合、パス位置判定回路１１２は、通信チャネル遅延プロファイルと共通制御チャネルの遅延プロファイルとの相関性があるものと判断し、個別チャネル用遅延プロファイル作成部１１７に対して通信チャネルの遅延プロファイルを作成する指示を供給するとともに、共通制御チャネル用遅延プロファイル作成部１１９に対して共通制御チャネルの遅延プロファイルを作成する指示を供給する。また、このときパス位置判定回路１１２は、フィンガ選択回路１１１に対して、通信チャネルの遅延プロファイル及び共通制御チャネルの遅延プロファイルを両方用いてフィンガ選択（復調するパスの選択）を行う指示を供給する。
【００３６】
これに対して、図２（ｂ）に示すように、入力パターンＢのように共通制御チャネルの遅延プロファイルのパス位相と通信チャネルの遅延プロファイルのパス位相とが異なる場合、パス位置判定回路１１２は、通信チャネルの遅延プロファイルと共通制御チャネルの遅延プロファイルとの相関性がないものと判断し、個別チャネル用遅延プロファイル作成部１１７に対して通信チャネルの遅延プロファイルを作成する指示を供給するとともに、共通制御チャネル用遅延プロファイル作成部１１９に対して共通制御チャネルの遅延プロファイルを作成しない指示を供給する。また、このとき、パス位置判定回路１１２は、フィンガ選択回路１１１に対して、通信チャネルの遅延プロファイルのみを用いてフィンガ選択を行う指示を供給する。
【００３７】
なお、共通制御チャネルの遅延プロファイル及び通信チャネルの遅延プロファイルの相関がない場合、通信チャネルの遅延プロファイルのみを作成することになるが、通信端末装置１００の移動によって、共通制御チャネルの遅延プロファイル及び通信チャネルの遅延プロファイルの相関が変化する可能性があることにより、パス位置判定回路１１２は、共通制御チャネル用遅延プロファイル作成部１１９に対して、定期的に共通制御チャネルの遅延プロファイルを作成させ、通信チャネルの遅延プロファイルとの相関状態を確認するようになされている。これにより、通信端末装置１００が移動して共通制御チャネルの遅延プロファイル及び通信チャネルの遅延プロファイルの相関性がある状態となった場合には、上述したように、共通制御チャネルの遅延プロファイル及び通信チャネルの遅延プロファイルの両方を用いてフィンガ選択を行う状態に移行することが可能となる。
【００３８】
このように、本実施の形態の通信端末装置１００によれば、共通制御チャネルの遅延プロファイル及び通信チャネルの遅延プロファイルの相関がある場合は、共通制御チャネルの遅延プロファイルを作成し、これをフィンガ選択に用い、相関がない場合は、共通制御チャネルの遅延プロファイルを作成せず、これをフィンガ選択に用いないという適応的を制御を行うことにより、適切なフィンガ選択を行うことができる。
【００３９】
（実施の形態２）
図３は、本発明の実施の形態２に係る通信端末装置２００の構成を示すブロック図である。但し、図１と同一の構成となるものについては、図１と同一番号を付し、詳しい説明を省略する。
【００４０】
パス位置判定回路１１２は、共通制御チャネルの遅延プロファイルと通信チャネルの遅延プロファイルとの間に相関がある場合には、共通制御チャネルの遅延プロファイルのみを作成するように個別チャネル用遅延プロファイル作成部１１７及び共通制御チャネル用遅延プロファイル作成部１１９に対して指示を出し、これに対して、相関がない場合には、通信チャネルの遅延プロファイルのみを作成するように個別チャネル用遅延プロファイル作成部１１７及び共通制御チャネル用遅延プロファイル作成部１１９に対して指示を出す。
【００４１】
レイク合成対象判定回路２０１は、各パス毎のレベルを測定し、レイク合成に相当するパスであるか否かを判断し、判断結果をレイク合成回路１０５及びフィンガ選択回路１１１にそれぞれ供給する。フィンガ選択回路１１１は、レイク合成に値しないパスに関しては、フィンガに割り当てることをやめる。レイク合成回路１０５は、レイク合成に値しないフィンガに関してレイク合成の対象から除外する。
【００４２】
このように、通信端末装置２００においては、レイク合成対象判定回路２０１を設けることにより、共通制御チャネルの遅延プロファイルと通信チャネルの遅延プロファイルとの間の相関がある場合は、共通制御チャネルの遅延プロファイルのみを作成することで起こるパス選択の誤りを防止することができる。すなわち、フィンガ選択回路１１１において、図８（ｂ）に示したパス２、パス３がフィンガとして選択されたとしても、レイク合成対象判定回路２０１は、そのフィンガはレベルが低い（すなわちレイク合成に値しない）と判断し、フィンガ割り当て対象から除外することにより、共通制御チャネルの遅延プロファイルのみを作成することで起こるパス選択の誤りを防ぐことができる。
【００４３】
このように本実施の形態の通信端末装置２００によれば、共通制御チャネルの遅延プロファイルと通信チャネルの遅延プロファイルとの間に相関がある場合は、共通制御チャネルの遅延プロファイルのみを作成することで、個別チャネル（通信チャネル）の遅延プロファイル作成処理を停止させることができ、この結果、省電力化を図ることができる。
【００４４】
（実施の形態３）
図４は、本発明の実施の形態３に係る通信端末装置３００の構成を示すブロック図である。但し、図３と同一の構成となるものについては、図３と同一番号を付し、詳しい説明を省略する。
【００４５】
後述する基地局装置３５０（図５）は、通信チャネルを送信するアンテナ位置と共通制御チャネルを送信するアンテナ位置等から、通信チャネルの遅延プロファイルと共通制御チャネルの遅延プロファイルとの間の相関を表す相関情報を送信するようになされている。具体的には、基地局装置３５０は、通信チャネルを送信するアンテナの位置と共通制御チャネルを送信するアンテナの位置が離れている場合には、通信チャネルの遅延プロファイルと共通制御チャネルの遅延プロファイルとの相関がない旨の相関情報を送信するようになされており、これに対して、通信チャネルを送信するアンテナの位置と共通制御チャネルを送信するアンテナの位置が近い場合には、相関がある旨の相関情報を送信するようになされている。
【００４６】
図４に示す通信端末装置３００は、基地局装置３５０から送信された共通制御チャネルの遅延プロファイルと通信チャネルの遅延プロファイルとの間の相関情報をデータ判定回路１０６において抽出する。データ判定回路１０６は、抽出した相関情報をパス位置判定回路１１２に供給する。パス位置判定回路１１２は、データ判定回路１０６から供給された相関情報に基づいて、通信チャネルの遅延プロファイル作成処理及び共通制御チャネルの遅延プロファイル作成処理、並びにフィンガ割り当て（選択）処理を行う。これらの処理については、図３に示した通信端末装置２００の場合と同様にして、パス位置判定回路１１２は、相関情報に基づき、共通制御チャネルの遅延プロファイルと通信チャネルの遅延プロファイルとの間に相関があると判断できる場合には、共通制御チャネルの遅延プロファイルのみを作成するように個別チャネル用遅延プロファイル作成部１１７及び共通制御チャネル用遅延プロファイル作成部１１９に対して指示を出し、これに対して、相関がないと判断できる場合には、通信チャネルの遅延プロファイルのみを作成するように個別チャネル用遅延プロファイル作成部１１７及び共通制御チャネル用遅延プロファイル作成部１１９に対して指示を出す。
【００４７】
これにより、パス位置判定回路１１２は、個別チャネル用遅延プロファイル作成部１１７において作成された通信チャネルの遅延プロファイル及び共通制御チャネル用遅延プロファイル作成部１１９において作成された共通制御チャネルの遅延プロファイルを用いることなく、基地局装置３５０から送信された相関情報を基に通信チャネルの遅延プロファイル及び共通制御チャネルの遅延プロファイルの間に相関があるか否かを判断することができる。
【００４８】
図５は、基地局装置３５０の構成を示すブロック図である。図５に示すように、基地局装置３５０において、制御部３５１は、共通制御チャネルの遅延プロファイル及び通信チャネルの遅延プロファイルの相関情報が入力されると、これに基づいてチャネルコーディック部３５２を制御する。チャネルコーディック部３５２は、相関情報を所定の方法でエンコードし、エンコードされた結果を変調処理部３５３に供給する。
【００４９】
変調処理部３５３は、エンコードされたデータに対して、データ変調、拡散変調等を行い、この結果得られる変調データを無線送信部３５４に供給する。無線送信部３５４は、変調データに対して、これ送信するための無線処理を行い、その処理結果をアンテナ３５５を介して送信する。
【００５０】
なお、基地局装置３５０から送信される相関情報に関しては、下り回線の誤りによって情報に誤りが生じる可能性があることにより、通信端末装置３００においては、この相関情報だけを用いるのではなく、図３に示した通信端末装置２００の場合と同様にして、通信チャネルの遅延プロファイル及び共通制御チャネルの遅延プロファイルの間の相関を求める際のデータの一つとして用いるようにしてもよい。
【００５１】
このように本実施の形態の通信端末装置３００及び基地局装置３５０によれば、共通制御チャネルのプロファイルと通信チャネルのプロファイルとの間に相関があるか否かの情報を基地局装置３５０が送信し、この送信された相関情報を通信端末装置３００において用いるようにしたことにより、通信端末装置３００は一段と精度よく相関情報を知ることができ、これにより、一段と適切なフィンガ選択を行うことができる。
【００５２】
（実施の形態４）
図６は、本発明の実施の形態４に係る通信端末装置４００の構成を示すブロック図である。但し、図４と同一の構成となるものについては、図４と同一番号を付し、詳しい説明を省略する。
【００５３】
通信端末装置４００において、無線受信回路４０６は、アンテナ１０１を介して受信された信号に対して所定の無線処理（ダウンコンバート、Ａ／Ｄ変換等）を施す。位置検出回路４０７は、受信データに基づいて、自機（通信端末装置４００）の現在位置を受信データから検出する。この場合、基地局装置４５０（後述）は、通信端末装置４００の位置を表す位置情報又は位置を求めるために必要な情報を通信端末装置４００に対して送信している。位置検出回路４０７は、この位置情報を検出又は位置を求めるために必要な情報に基づく所定の演算により、自機の現在位置を判断することができる。位置検出回路４０７は、検出した現在位置をパス位置判定回路１１２に供給する。
【００５４】
なお、通信端末装置４００が自機の位置を判断する方法としては、ＧＰＳ（Ｇｌｏｂａｌ  Ｐｏｓｉｔｉｏｎｉｎｇ  Ｓｙｓｔｅｍ）受信装置を設け、このＧＰＳ受信装置によって自機位置を判断するようにしてもよい。
【００５５】
ここで、基地局装置４５０の通信エリア内にある複数の通信端末装置は、それぞれ自機において検出された共通制御チャネルの遅延プロファイル及び通信チャネルの遅延プロファイルの間の相関情報と自機の位置情報とを基地局装置４５０に対して送信するようになされており、基地局装置４５０は、このようにして自局の通信エリア内にある各通信端末装置から送信された、共通制御チャネルの遅延プロファイル及び通信チャネルの遅延プロファイルの間の相関情報とその通信端末装置の位置情報とを他の各通信端末装置に対して送信している。
【００５６】
通信端末装置４００のデータ判定回路１０６は、このようにして基地局装置４５０から送信された、共通制御チャネルの遅延プロファイル及び通信チャネルの遅延プロファイルの相関情報とそれに対応する端末位置情報とを抽出し、パス位置判定回路１１２に供給する。
【００５７】
パス位置判定回路１１２は、データ判定回路１０６から供給された通信端末装置の位置とそれに対応する共通制御チャネルの遅延プロファイル及び通信チャネルの遅延プロファイルの相関情報との組み合わせ（複数の組み合わせがある）を内部の記憶手段に記憶しておき、この記憶された相関情報のなかから、位置検出回路４０７において検出された自機の位置に合致する位置と対をなす相関情報を検索し、検索された相関情報に基づいて、個別チャネル用遅延プロファイル作成部１１７及び共通制御チャネル用遅延プロファイル作成部１１９、並びにフィンガ選択回路１１１を制御することにより、通信チャネルの遅延プロファイル作成処理及び共通制御チャネルの遅延プロファイル作成処理、並びにフィンガ割り当て（選択）処理を行う。
【００５８】
これらの処理については、図３に示した通信端末装置２００の場合と同様にして、パス位置判定回路１１２は、基地局装置４５０から送信された相関情報に基づき、共通制御チャネルの遅延プロファイルと通信チャネルの遅延プロファイルとの間に相関があると判断できる場合には、共通制御チャネルの遅延プロファイルのみを作成するように個別チャネル用遅延プロファイル作成部１１７及び共通制御チャネル用遅延プロファイル作成部１１９に対して指示を出し、これに対して、相関がないと判断できる場合には、通信チャネルの遅延プロファイルのみを作成するように個別チャネル用遅延プロファイル作成部１１７及び共通制御チャネル用遅延プロファイル作成部１１９に対して指示を出す。
【００５９】
これにより、パス位置判定回路１１２は、個別チャネル用遅延プロファイル作成部１１７において作成された通信チャネルの遅延プロファイル及び共通制御チャネル用遅延プロファイル作成部１１９において作成された共通制御チャネルの遅延プロファイルを用いることなく、基地局装置４５０から送信された相関情報を基に通信チャネルの遅延プロファイル及び共通制御チャネルの遅延プロファイルの間に相関があるか否かを判断することができる。
【００６０】
そして、この基地局装置４５０から送信された相関情報は、他の通信端末装置（又は自機）において、通信チャネルの遅延プロファイル及び共通制御チャネルの遅延プロファイルに基づいて実際に作成した結果であり、基地局装置４５０において、単にその通信チャネル用の送信アンテナ及び共通制御チャネル用の送信アンテナの間隔から求めたものではないことにより、通信端末装置４００は、一段と精度の高い相関情報に基づくフィンガ選択を行うことができる。
【００６１】
なお、通信端末装置４００において、定期的に個別チャネル用遅延プロファイル作成部１１７及び共通制御チャネル用遅延プロファイル作成部１１９によって各遅延プロファイルを作成し、それらの相関をパス位置判定回路１１２によって求めるようになっている。この結果は、パス位置判定回路１１２を介してプロファイル相関位置情報作成部４０８に供給される。
【００６２】
プロファイル相関位置情報作成部４０８は、パス位置判定回路１１２において、個別チャネル用遅延プロファイル作成部１１７及び共通制御チャネル用遅延プロファイル作成部１１９から出力される各遅延プロファイルに基づいて作成された相関情報と、この相関が得られた際に位置検出回路４０７から出力される自機（通信端末装置４００）の位置情報とをまとめて制御部４０５に供給する。
【００６３】
制御部４０５は、このとき入力された共通制御チャネルの遅延プロファイル及び通信チャネルの遅延プロファイル間の相関情報と位置情報とに基づいてチャネルコーディック部４０４を制御する。チャネルコーディック部４０４は、相関情報及び位置情報を所定の方法でエンコードし、その結果を変調処理部４０３に供給する。
【００６４】
変調処理部４０３は、エンコードされたデータに対して、データ変調、拡散変調等の処理を行うことにより変調データを得、これを無線送信部４０２に供給する。無線送信部４０２は、送信するための無線処理を変調データに対して施すことにより送信信号を生成し、これをアンテナ４０１を介して送信する。
【００６５】
図７は、基地局装置４５０の構成を示すブロック図である。図７に示すように、基地局装置４５０において、各通信端末装置から送信された信号は、アンテナ４６１を介して無線受信回路４６２で受信される。無線受信回路４６２は、受信信号に対して、増幅（利得制御）、ダウンコンバート、及びアナログ／ディジタル（Ａ／Ｄ）変換の各処理を行う。このＡ／Ｄ変換後の受信データは、復調回路の相関回路４６３及び位相推定回路４７１にそれぞれ供給される。相関回路４６３は、受信データと通信チャネル用のコードを用いて受信データの逆拡散処理を行う。位相推定回路４７１は、受信データと通信チャネル用のコードを用いて、位相推定用の逆拡散処理を行う。
【００６６】
相関回路４６３及び位相推定回路４７１の各出力は乗算器４６４に供給される。乗算器４６４は、相関回路４６３及び位相推定回路４７１の各出力を乗算することにより、同期検波を行う。この同期検波出力は、レイク合成回路４６５に供給される。レイク合成回路４６５は、複数のサンプルについて、レイク合成を行う。レイク合成回路４６５の出力は、判定回路４６６に供給される。判定回路４６６は、レイク合成された結果からビット判定を行いデータを復調する。
【００６７】
また、基地局装置４５０は、遅延プロファイルを作成するための相関回路４６７及び遅延プロファイル作成回路４６８と、フィンガ選択回路４６９とを有している。
【００６８】
相関回路４６７は、遅延プロファイルを作成するために、受信データと通信チャネル用のコードとを用いて逆拡散処理を行い、その結果を遅延プロファイル作成回路４６８に供給する。遅延プロファイル作成回路４６８は、相関回路４６７の出力の相関値を、各位相ごとに平均し、遅延プロファイルを作成する。フィンガ選択回路４６９は、遅延プロファイル作成回路４６８の出力を用いてフィンガを選択する。
【００６９】
ここで、判定回路４６６では、各通信端末装置から送信された各々の位置情報と相関情報（通信チャネルの遅延プロファイル及び共通制御チャネルの遅延プロファイル間の相関を示す情報）とを受信データから抽出し、これをプロファイル相関位置情報作成部４７０に供給する。
【００７０】
プロファイル相関位置情報作成部４７０は、複数の通信端末装置からその位置情報と相関情報との組み合わせを獲得することにより、各端末位置での相関情報をその位置情報とともにテーブル化する。そして、これらのデータを制御部４５１に供給する。制御部４５１は、相関情報及び位置情報が入力されると、これに基づいてチャネルコーディック部４５２を制御する。チャネルコーディック部４５２は、相関情報及び位置情報を所定の方法でエンコードし、エンコードされた結果を変調処理部４５３に供給する。
【００７１】
変調処理部４５３は、エンコードされたデータに対して、データ変調、拡散変調等を行い、この結果得られる変調データを無線送信部４５４に供給する。無線送信部４５４は、変調データに対して、これ送信するための無線処理を行い、その処理結果をアンテナ４５５を介して送信する。
【００７２】
このように、基地局装置４５０は、各通信端末装置において作成された相関情報及びその通信端末装置の位置情報を集め、これを各通信端末装置に対して提供することにより、各通信端末装置は、基地局装置４５０から提供された相関情報の位置に自機がある場合には、その位置情報に対応する相関情報を用いてフィンガ選択を行うことができる。このようにすることにより、基地局装置４５０では、各通信端末装置からの相関情報及び位置情報を受け取るまでは、図５について上述した基地局装置３５０の場合と同様にして、自機の通信チャネル用の送信アンテナと共通制御チャネル用の送信アンテナとの間隔に応じた相関情報を作成し、これを各通信端末装置に対して送信するようにし、各通信端末装置からその位置情報とこれに対応した相関情報とを受け取ると、これを各通信端末装置に対して送信する。この場合、通信端末装置において実際の通信チャネルの遅延プロファイル及び共通制御チャネルの遅延プロファイルに基づいて作成された相関情報は、基地局装置４５０において、単に通信チャネルの送信アンテナ及び共通制御チャネルの送信アンテナ間の間隔に基づいて作成された相関情報よりも正確な相関を表すものであり、この相関情報を受け取った通信端末装置は、その相関情報を用いたフィンガ選択を行うことにより、フィンガ選択を一段と適切に行うことができる。
【００７３】
このように、基地局装置４５０は、各通信端末装置に対して、基地局装置４５０の通信チャネル用の送信アンテナ及び共通制御チャネル用の送信アンテナ間の間隔に基づく相関情報（第１の相関情報）を送信するとともに、各通信端末装置から実際の通信チャネル及び共通制御チャネルの遅延プロファイルに基づいて作成された相関情報（第２の相関情報）を受け取った場合は、これを第１の相関情報に加えて送信する。この第２の相関情報はその相関が得られた位置情報とともに通信端末装置に対して送信されることにより、その位置情報で示される位置にある通信端末装置は、自機がその位置情報に合致する位置にあることを条件に、その位置情報に対応付けられた相関情報（第２の相関情報）を第１の相関情報に代えて用いる。これにより、通信端末装置４００は、基地局装置４５０において単に送信アンテナ間の間隔に基づいて作成された相関情報（第１の相関情報）から、一段と正確な相関情報（第２の相関情報）に切り替えてフィンガ選択を行うことにより、一段と適切なフィンガ選択が行われる。
【００７４】
このように本実施の形態の通信端末装置４００によれば、共通制御チャネルの遅延プロファイルと通信チャネルの遅延プロファイルの相関があるか否かを表す情報を各通信端末装置が作成し、基地局装置４５０に送信し、基地局装置４５０は、その相関情報を他の通信端末装置に提供することで、この提供を受けた通信端末装置４００は、一段と精度の高い遅延プロファイルの相関を得ることができ、これにより適切なフィンガ選択を行うことができる。
【００７５】
なお、基地局装置４５０から送信される相関情報に関しては、下り回線の誤りによって情報に誤りが生じる可能性があることにより、通信端末装置４００においては、この相関情報だけを用いるのではなく、図３に示した通信端末装置２００の場合と同様にして、通信チャネルの遅延プロファイル及び共通制御チャネルの遅延プロファイルの間の相関を求める際のデータの一つとして用いるようにしてもよい。
【００７６】
【発明の効果】
以上説明したように、本発明によれば、通信チャネルの遅延プロファイル及び共通制御チャネルの遅延プロファイルの相関に応じて適応的にそれらを用いることにより、適切なフィンガ選択を行うことができる。
【図面の簡単な説明】
【図１】本発明の実施の形態１に係る受信装置の構成を示すブロック図
【図２】本発明の実施の形態１に係る受信装置の動作を説明するための略線図
【図３】本発明の実施の形態２に係る受信装置の構成を示すブロック図
【図４】本発明の実施の形態３に係る受信装置の構成を示すブロック図
【図５】本発明の実施の形態３に係る送信装置の構成を示すブロック図
【図６】本発明の実施の形態４に係る受信装置の構成を示すブロック図
【図７】本発明の実施の形態４に係る送信装置の構成を示すブロック図
【図８】無指向性送信の説明に供する略線図
【図９】指向性制御された状態での送信の説明に供する略線図
【図１０】無指向性の送信アンテナとは異なるアンテナで指向性制御された信号を送信する際の説明に供する略線図
【符号の説明】
１００、２００、３００、４００  通信端末装置（受信装置）
１０１、４０１、４５５、４６１  アンテナ
１０２、４０６  無線受信回路
１０３、１０７、１０９  相関回路
１０４  乗算器
１０５  レイク合成回路
１０６  判定回路
１０８、１１０  遅延プロファイル作成回路
１１１  フィンガ選択回路
１１２  パス位置判定回路
１１３  位相推定回路
１１５  復調回路
１１７  個別チャネル用遅延プロファイル作成部
１１８  共通制御チャネル用遅延プロファイル作成部
１２０  サーチャ
２０１  レイク合成対象判定回路
３５０  基地局装置（送信装置）
４０２、４５４  無線送信部
４０３、４５３  変調処理部
４０４、４５２  チャネルコーデック部
４０５、４５１  制御部
４０７  位置検出回路
４０８  プロファイル相関位置情報作成部
【図１】
2004248197.tif 000003
【図２】
2004248197.tif 000004
【図３】
2004248197.tif 000005
【図４】
2004248197.tif 000006
【図５】
2004248197.tif 000007
【図６】
2004248197.tif 000008
【図７】
2004248197.tif 000009
【図８】
2004248197.tif 000010
【図９】
2004248197.tif 000011
【図１０】
2004248197.tif 000012